(57)【要約】【課題】  ハンドルの前後調整の操作を簡単になすことができ、コイルスプリングが不要で構成部材が少なくて済み、製造容易でかつ安価に製造することができる幼児座席のハンドル装置を提供する。【解決手段】  支持軸２８の外周に係止部が周方向に間隔をおいて複数設けられ、ハンドル保持部３３に、支持軸２８を回動不能に固定すべく複数の係止部に選択的に係合する係合爪３５が、支持軸２８の回動位置により係合爪３５が係合する係止部３１が変更してハンドル２５が前後に移動調整可能となるように設けられ、係合爪３５を係止部に係合した状態にロックするロック部材４１が座席側壁２１にロック位置とアンロック位置とに移動自在に設けられている。【選択図】図１
2015058816.tif 000002
【特許請求の範囲】
【請求項１】
ハンドル（２５）の左右両端部に支持軸（２８）が該支持軸（２８）廻りの回動でハンドル（２５）が前後移動可能になるように設けられ、左右の座席側壁（２１）にハンドル（２５）の支持軸（２８）をその支持軸（２８）廻りに回動可能に保持するハンドル保持部（３３）が設けられた幼児座席のハンドル装置であって、
支持軸（２８）の外周に係止部（３１）が周方向に間隔をおいて複数設けられ、ハンドル保持部（３３）に、支持軸（２８）を回動不能に固定すべく複数の係止部（３１）に選択的に係合する係合爪（３５）が、支持軸（２８）の回動位置により係合爪（３５）が係合する係止部（３１）が変更してハンドル（２５）が前後に移動調整可能となるように設けられ、
係合爪（３５）を係止部（３１）に係合した状態にロックするロック部材（４１）が座席側壁（２１）にロック位置（Ｌ）とアンロック位置（Ｕ）とに移動自在に設けられていることを特徴とする幼児座席のハンドル装置。
【請求項２】
前記ハンドル保持部（３３）は、支持軸（２８）が挿通保持される挿通孔（３４）を有するリング状に形成され、前記係止部（３１）は支持軸（２８）の外周に溝形に没入形成されて、支持軸（２８）の外周に周方向に間隔をおいて複数配置され、
前記係合爪（３５）は、ハンドル保持部（３３）の挿通孔（３４）の開口縁部から支持軸（２８）の外周に沿うように突出した弾性片（３５ａ）と、弾性片（３５ａ）の突出端部から係止部（３１）に向けて突出した係合突部（３５ｂ）とを有し、係合突部（３５ｂ）が係止部（３１）に係合した状態から抜脱するように弾性片（３５ａ）の弾性変形により支持軸（２８）の径外方向に出退移動自在とされていることを特徴とする請求項１に記載の幼児座席のハンドル装置。
【請求項３】
前記支持軸（２８）は筒孔（２９）を有する筒状に形成され、前記ロック部材（４１）は、支持軸（２８）の筒孔（２９）に回動自在に挿通保持される支持軸部（４３）を有すると共に、支持軸部（４３）の外方に係合爪（３５）の外周を覆うロック片（４８）を有し、ロック部材（４１）は、ロック片（４８）が係合爪（３５）の外周を覆うロック位置（Ｌ）と係合爪（３５）から外れるアンロック位置（Ｕ）とに移動するように支持軸部（４３）廻りに回動自在に支持されていることを特徴とする請求項２に記載の幼児座席のハンドル装置。
【請求項４】
ハンドル保持部（３３）とロック部材（４１）との間に、ロック部材（４１）をロック位置（Ｌ）とアンロック位置（Ｕ）とに位置決めする位置決め機構（５０）が設けられていることを特徴とする請求項１〜３のいずれかに記載の幼児装置のハンドル装置。
【請求項５】
ハンドル（２５）の移動調整が支持軸（２８）よりも後方に突出した後方突出位置（Ｘ１）から支持軸（２８）の上側を通って支持軸（２８）よりも前方に突出した前方突出位置（Ｘ４）までの範囲になるように、座席側壁（２１）とハンドル（２５）との間に支持軸（２８）の回動範囲を規制する回動規制機構（５７）が設けられていることを特徴とする請求項１〜４のいずれかに記載の幼児座席のハンドル装置。
【発明の詳細な説明】
【技術分野】
【０００１】
本発明は、ハンドルが前後に移動調整可能な幼児座席のハンドル装置に関するものである。
【背景技術】
【０００２】
幼児座席のハンドル装置には、左右の座席側壁間にハンドルが設けられ、ハンドルの左右両端部に支持軸が該支持軸廻りの回動でハンドルが前後移動可能になるように設けられ、左右の座席側壁にハンドルの支持軸をその支持軸廻りに回動可能に保持して、ハンドルを前後に移動調整できるようにしたものがある。
この種の従来の幼児座席のハンドル装置は、ハンドルの両端部の円筒状の支持軸が座席側壁に固定した回動軸部に挿入されることによってハンドルが前後方向に回動可能となっていて、回動軸部には座席側壁の内側面側に角度変更ボタンが挿入されており、ハンドルのロック時には角度変更ボタンのピンがハンドルの円筒部の複数の溝部に係合され、ピンはコイルスプリングによって溝部の方向に付勢され、角度変更ボタンをコイルスプリングの付勢に抗して押すと、ピンと溝部との係合が解除され、ハンドルの支持軸が前後方向に回動可能となるように構成されている（例えば特許文献１）。
【先行技術文献】
【特許文献】
【０００３】
【特許文献１】特開２００９−５６８７８号公報
【発明の概要】
【発明が解決しようとする課題】
【０００４】
しかし、従来の場合、ハンドルを前後調整する場合、コイルスプリングの付勢に抗して左右の角度変更ボタンを左右方向外方に押圧しながらハンドルを支持軸廻りに回動する必要があり、ハンドルの前後調整の操作が非常に面倒であった。また、回動軸部及び角度変更ボタンの他にコイルスプリングが必要であり、構成部材が多くて製造の際にはコイルスプリングの組み付けも必要になり、ハンドル装置の製造が面倒で製造費も高く付くという問題があった。
【０００５】
本発明は上記問題点に鑑み、ハンドルの前後調整の操作を簡単になすことができ、コイルスプリングが不要で構成部材が少なくて済み、製造容易でかつ安価に製造することができる幼児座席のハンドル装置を提供することを目的としている。
【課題を解決するための手段】
【０００６】
本発明における課題解決のための具体的手段は、次の通りである。
この技術的課題を解決する本発明の技術的手段は、ハンドル２５の左右両端部に支持軸２８が該支持軸２８廻りの回動でハンドル２５が前後移動可能になるように設けられ、左右の座席側壁２１にハンドル２５の支持軸２８をその支持軸２８廻りに回動可能に保持するハンドル保持部３３が設けられた幼児座席のハンドル装置であって、
支持軸２８の外周に係止部３１が周方向に間隔をおいて複数設けられ、ハンドル保持部３３に、支持軸２８を回動不能に固定すべく複数の係止部３１に選択的に係合する係合爪３５が、支持軸２８の回動位置により係合爪３５が係合する係止部３１が変更してハンドル２５が前後に移動調整可能となるように設けられ、
係合爪３５を係止部３１に係合した状態にロックするロック部材４１が座席側壁２１にロック位置Ｌとアンロック位置Ｕとに移動自在に設けられている点にある。
【０００７】
また、本発明の他の技術的手段は、前記ハンドル保持部３３は、支持軸２８が挿通保持される挿通孔３４を有するリング状に形成され、前記係止部３１は支持軸２８の外周に溝形に没入形成されて、支持軸２８の外周に周方向に間隔をおいて複数配置され、
前記係合爪３５は、ハンドル保持部３３の挿通孔３４の開口縁部から支持軸２８の外周に沿うように突出した弾性片３５ａと、弾性片３５ａの突出端部から係止部３１に向けて突出した係合突部３５ｂとを有し、係合突部３５ｂが係止部３１に係合した状態から抜脱するように弾性片３５ａの弾性変形により支持軸２８の径外方向に出退移動自在とされて
いる点にある。
【０００８】
また、本発明の他の技術的手段は、前記支持軸２８は筒孔２９を有する筒状に形成され、前記ロック部材４１は、支持軸２８の筒孔２９に回動自在に挿通保持される支持軸部４３を有すると共に、支持軸部４３の外方に係合爪３５の外周を覆うロック片４８を有し、ロック部材４１は、ロック片４８が係合爪３５の外周を覆うロック位置Ｌと係合爪３５から外れるアンロック位置Ｕとに移動するように支持軸部４３廻りに回動自在に支持されている点にある。
【０００９】
また、本発明の他の技術的手段は、ハンドル保持部３３とロック部材４１との間に、ロック部材４１をロック位置Ｌとアンロック位置Ｕとに位置決めする位置決め機構５０が設けられている点にある。
また、本発明の他の技術的手段は、ハンドル２５の移動調整が支持軸２８よりも後方に突出した後方突出位置Ｘ１から支持軸２８の上側を通って支持軸２８よりも前方に突出した前方突出位置Ｘ４までの範囲になるように、座席側壁２１とハンドル２５との間に支持軸２８の回動範囲を規制する回動規制機構５７が設けられている点にある。
【発明の効果】
【００１０】
本発明によれば、ハンドルを前後に移動調整する場合、ロック部材をロック位置からアンロック位置に移動した後に、ハンドルが所望の前後位置になるようにハンドルを支持軸廻りに回動し、その後、ロック部材をアンロック位置からロック位置に戻せばよく、前後に移動調整されたハンドルが支持軸廻りに回動不能に固定される。
従って、従来のように左右の角度変更ボタンを押しながらハンドルを回動操作するような面倒な操作をする必要がなくなり、ロック部材の移動とハンドルの回動とを順次行うことによりハンドルを簡単に前後に移動調整することができる。また、従来のようなコイルスプリングが不要で構成部材が少なくて済むし、コイルスプリングを組み込む作業も省略でき、幼児座席のハンドル装置を製造容易でかつ安価に製造することができる。
【図面の簡単な説明】
【００１１】
【図１】本発明の一実施形態を示す図３のＡ−Ａ線断面図である。
【図２】同図３のＢ−Ｂ線断面図である。
【図３】同外側から見た座席側壁のハンドル保持部分の側面図である。
【図４】同内側から見た座席側壁のハンドル保持部分の側面図である。
【図５】同幼児座席のハンドル部分の正面図である。
【図６】同ハンドルの一端部の正面図である。
【図７】同ハンドルの側面図である。
【図８】同ロック部材を内側から見た側面図である。
【図９】ハンドルを前後移動する際の外側から見た座席側壁のハンドル保持部分の側面図である。
【図１０】ハンドルの前後調整動作を示すハンドル保持部分の側面図で、（ａ）はハンドルが後方突出位置にあるものであり、（ｂ）はハンドルが上方突出位置にあるものである。
【図１１】ハンドルの他の前後調整動作を示すハンドル保持部分の概略側面図で、（ｃ）はハンドルが上方突出位置にあるものであり、（ｄ）はハンドルが前方突出位置にものである。
【図１２】同幼児座席の全体側面図である。
【発明を実施するための形態】
【００１２】
以下、本発明の実施の形態を図面に基づいて説明する。
図１〜図１２は本発明の一実施形態を示している。図１２において、自転車用幼児座席Ａは、座部１を有する座席本体２と、背凭れ部３を有する背凭れ体４とを別体に備え、背凭れ体４の背凭れ部３にヘッドレスト５が高さ調整自在に設けられ、座席本体２にステップ６が横軸７廻りに揺動可能に設けられている。
【００１３】
自転車用幼児座席Ａは、例えば自転車のハンドルバー８に着脱自在に装着され、ここに幼児を座らせることができると共に荷駕籠にもなるように構成されている。ステップ６は
座席本体２の座部１前方を下から塞ぐ閉鎖姿勢Ｐと、脚下げ時に下げた足を載せることが可能な足載置姿勢Ｑとに姿勢変更可能になっている。
座席本体２、背凭れ体４、ヘッドレスト５、ステップ６はそれぞれ合成樹脂で一体成形されている。
【００１４】
座席本体２は、座部１の他に左右一対の本体側壁１１を有し、座席本体２の左右の本体側壁１１が自転車の左右のハンドルバー８の内側に配置されて、図示省略のボルトナット等の締結具で固定されている。座部１の前方に足下げ用開口が設けられ、座部１の左右方向中央部から前方に突出して足下げ用開口を左右に分離する仕切り壁１３が設けられている。左右の本体側壁１１の前端同士を連結する連結壁板１４が設けられ、仕切り壁１３の前端側が連結壁板１４の左右方向中央部に連結されている。
【００１５】
背凭れ体４は背凭れ部３の他に背凭れ部３下端から前方突出した底壁１６と、左右一対の背凭れ側壁１７とを有している。
背凭れ体４の左右の背凭れ側壁１７が座席本体２の左右の本体側壁１１の外側に配置されて、座席本体２の左右の本体側壁１１の後部と背凭れ体４の左右の背凭れ側壁１７の前部とが左右に重合され、左右の背凭れ側壁１７の前上部側が本体側壁１１の後上部側に左右方向の支軸２０廻りに揺動自在に支持されている。
【００１６】
座席本体２の座部１が背凭れ体４の底壁１６上に配置されて、座席本体２の座部１と背凭れ体４の底壁１６とが支軸２０を支点とする円弧状に湾曲した重合面で互いに前後移動自在に重合され、背凭れ体４の底壁１６を座席本体２の座部１に対して支軸２０廻りに前後移動調整自在に係合保持する背凭れ係合機構が座部１と底壁１６との間に設けられている。
【００１７】
而して、背凭れ体４の上部側が座席本体２に対して左右方向の支軸２０廻りに揺動自在に支持され、左右の本体側壁１１と左右の背凭れ側壁１７とで自転車用幼児座席Ａの左右一対の座席側壁２１を構成している。
図１〜図８において、左右の座席側壁２１（本体側壁１１）間にハンドル２５が設けられている。
【００１８】
ハンドル２５はその左右方向の両端部が左右方向と直交する方向に屈曲されていて、その屈曲端部に後述するハンドル保持部３３の内面に当接する円板状の当接板部２７が設けられ、各当接板部２７の中央部に支持軸２８が左右方向外方に突設されている。而して、ハンドル２５の左右両端部に支持軸２８が該支持軸２８廻りの回動でハンドル２５が前後移動可能になるようにハンドル２５とは偏心した位置に設けられている。
【００１９】
支持軸２８は円形の筒孔２９を有する筒状に形成され、支持軸２８の外周に、係止部３１が周方向全周に亘って等間隔おきに複数（図例では６個）設けられている。係止部３１は支持軸２８の外周にＶ字状の溝形に没入形成されてなり、支持軸２８の外周に間隔をおいて複数配置されている。
左右の座席側壁２１にハンドル２５の支持軸２８をその支持軸２８廻りに回動可能に保持するハンドル保持部３３が設けられている。ハンドル保持部３３は、本体側壁１１と一体に形成されており、支持軸２８が挿通保持される挿通孔３４を有するリング状に形成されている。
【００２０】
ハンドル保持部３３に、支持軸２８を回動不能に固定すべく複数の係止部３１に選択的に係合する係合爪３５が設けられ、支持軸２８の回動位置により係合爪３５が係合する係止部３１が変更してハンドル２５が前後に移動調整可能となるように構成されている。
前記係合爪３５は、ハンドル保持部３３の挿通孔３４の開口縁部から支持軸２８の外周に沿うように円弧状に突出した弾性片３５ａと、弾性片３５ａの突出端部から係止部３１に向けて内方突出した係合突部３５ｂとを有し、係合突部３５ｂが係止部３１に係合した状態から抜脱可能となるように弾性片３５ａの弾性変形により支持軸２８の径外方向に出退移動自在とされている。
【００２１】
具体的には、係合爪３５はハンドル保持部３３に前後一対設けられており、ハンドル保持部３３の挿通孔３４開口縁部の上部と下部とに、円弧状の上支持部３７と円弧状の下支持部３８とが左右方向外方に突設され、この上支持部３７から一方（前側）の弾性片３５
ａが支持軸２８外周の前側に沿うように円弧状に突出され、下支持部３８から他方（後側）の弾性片３５ａが支持軸２８外周の後側に沿うように円弧状に突出されている。
【００２２】
ハンドル保持部３３の挿通孔３４は、支持軸２８が挿通保持される円形の貫通孔部３４ａと、貫通孔部３４ａの前後両側に連続して設けられた前後一対の膨出孔部３４ｂとを有しており、前記一対の係合爪３５の弾性片３５ａはそれぞれ前後の膨出孔部３４ｂに対応する位置に配置されている。
座席側壁２１の外面に係合爪３５を係止部３１に係合した状態にロックするロック部材４１が設けられている。
【００２３】
ロック部材４１は、左右方向の円筒状の支持軸部４３と、支持軸部４３の左右外側部の外周を取り囲む環状部４４と、支持軸部４３と環状部４４とを連結する外側壁部４５と、外側壁部４５から左右外側方に突出した摘み部４６とを備える。摘み部４６の中央部には支持軸部４３の軸孔４７に連通する連通孔４９が設けられている。
ロック部材４１の外側壁部４５がハンドル保持部３３の外側方に配置され、支持軸部４３が支持軸２８に挿通保持されて、ロック部材４１がハンドル保持部３３（座席側壁２１）に支持軸２８を介して支持軸部４３廻りに回動自在に支持されている。ロック部材４１の環状部４４と支持軸部４３との間に、一対の係合爪３５が収納されている。
【００２４】
ロック部材４１は、支持軸部４３の外方に係合爪３５の外周を覆う円弧状のロック片４８を有し、ロック片４８は支持軸部４３の外方に径方向に一対あって、環状部４４の内面にそれぞれ連結されている。
而して、ロック部材４１は、各ロック片４８が一対の係合爪３５の外周をそれぞれ覆うロック位置Ｌと、各ロック片４８が一対の係合爪３５から外れるアンロック位置Ｕとに移動するように、支持軸部４３を介して支持軸２８乃至ハンドル保持部３３（座席側壁２１）に支持軸部４３廻りに回動自在に支持されている。
【００２５】
なお、本実施形態では、ロック部材４１をロック位置Ｌに回動したとき、摘み部４６が上下方向を向き、ロック部材４１をアンロック位置Ｕに回動したとき、摘み部４６が前後方向を向くように構成されている。
ハンドル保持部３３とロック部材４１との間に、ロック部材４１をロック位置Ｌとアンロック位置Ｕとに位置決めする位置決め機構５０が設けられている。
【００２６】
位置決め機構５０は、ロック部材４１の外周部（環状部４４）の内面に設けた係合凹部５１と、ハンドル保持部３３の外周部に設けた係合凸部５２とを備え、係合凹部５１と係合凸部５２とが係脱自在に係合するようになっている。
即ち、ハンドル保持部３３の外周部の上端部と下端部と左端部と右端部とに貫通孔５３が設けられ、各貫通孔５３の左右外側部に、弾性連結片５４を介してそれぞれの貫通孔５３の開口縁部に連結された係合凸部５２が左右方向外方に向けて突設され、係合凸部５２は弾性連結片５４の左右方向内方への弾性変形により、左右方向内方に出退移動可能とされている。
【００２７】
ロック部材４１の環状部４４の内面に、前記複数（４個）の係合凸部５２に対応して、周方向に等間隔をおいて複数個（４個）の係合凹部５１が左右方向内方に没入形成されており、ロック部材４１を支持軸部４３廻りに９０度回動する毎に、係合凹部５１と係合凸部５２とが係脱自在に係合してロック部材４１をロック位置Ｌとアンロック位置Ｕとに順次位置決めするようになっている。
【００２８】
座席側壁２１とハンドル２５との間に支持軸２８の回動範囲を規制する回動規制機構５７が設けられている。
回動規制機構５７は、ハンドル保持部３３の外周部内面の上側に支持軸２８を中心とする半円弧状に形成された嵌合凹部５８と、ハンドル２５の支持軸２８近傍である当接板部２７の外周部外面に突設された嵌合凸部５９からなり、嵌合凹部５８に嵌合凸部５９が支持軸２８廻りに摺動自在に嵌合されており、支持軸２８の回動範囲が、嵌合凸部５９が嵌合凹部５８内を摺動する範囲に規制され、これにより、図１０及び図１１に示すように、ハンドル２５の移動調整が支持軸２８よりも後方に突出した後方突出位置Ｘ１から支持軸２８の上側を通って支持軸２８よりも前方に突出した前方突出位置Ｘ４までの範囲になる
ように構成されている。
【００２９】
ロック部材４１とハンドル２５の支持軸２８及び当接板部２７とは、ハンドル保持部３３を左右に挟んでロック部材４１の支持軸部４３に挿通したボルトナット等の締結具６１によって締め付けられ、これにより、ロック部材４１、支持軸２８及び当接板部２７が左右に移動不能になり、かつハンドル２５及びロック部材４１がそれぞれ支持軸２８廻り又は支持軸２８と同一軸心の支持軸部４３廻りに回動可能となるように、ロック部材４１と支持軸２８及び当接板部２７とがハンドル保持部３３に保持されている。
【００３０】
上記実施形態によれば、ハンドル２５を前後に移動調整する場合、まず、摘み部４６を摘んでロック部材４１を、図８に示すａ方向又はｂ方向に９０度回動してロック位置Ｌからアンロック位置Ｕに移動すると、図３に２点鎖線で示すようにロック片４８が係合爪３５の外周を覆った状態から、図９に２点鎖線で示すように、ロック片４８が係合爪３５から外れ、これにより、係合爪３５が弾性片３５ａの弾性変形により支持軸２８の径外方向に変形移動可能になる。
【００３１】
この状態で、ハンドル２５を前後に押圧し又は引っ張って支持軸２８廻りに回動すると、図９に示すように、係合爪３５が支持軸２８の径外方向に変形移動して、係合爪３５が支持軸２８の係止部３１から外れ、支持軸２８がハンドル保持部３３に対して回動できるようになるので、ハンドル２５を所望の前後位置になるように支持軸２８廻りに回動すれば、支持軸２８の回動位置により係合爪３５が係合する係止部３１が変更してハンドル２５が前後に移動調整される。
【００３２】
その後、ロック部材４１を９０度回動操作してアンロック位置Ｕからロック位置Ｌに戻せばよく、ハンドル２５が前後に移動調整された位置で回動不能に固定される。
従って、従来のように左右の角度変更ボタンを押しながら、ハンドルを回動操作するような面倒な操作をする必要がなくなり、ロック部材４１の回動操作とハンドル２５の回動操作とを順次行うことによりハンドル２５を簡単に前後方向に調整することができる。また、従来のようなコイルスプリングが不要で、コイルスプリングを組み込む作業も省略でき、自転車用幼児座席Ａのハンドル装置の構成部材が少なくて済み、ハンドル装置を製造容易でかつ安価に製造することができる。
【００３３】
また、本実施形態の場合、支持軸２８の回動範囲が、嵌合凸部５９が嵌合凹部５８内を摺動する範囲に規制されているので、図１０（ａ）に示すようにハンドル２５が支持軸２８よりも後方に突出した後方突出位置Ｘ１から、図１０（ｂ）及び図１１（ｃ）に示すようにハンドル２５が支持軸２８の上側になる上方突出位置Ｘ２，Ｘ３を通って、図１１（ｄ）に示すようにハンドル２５が支持軸２８よりも前方に突出した前方突出位置Ｘ４までの範囲になり、ハンドル２５を、図１０（ａ）、図１０（ｂ）、図１１（ｃ）、図１１（ｄ）に示すように、前後に４段階に移動調整することができ、ハンドル２５を比較的前後方向に大きな範囲でかつ細かく移動調整することが可能となる。
【００３４】
従って、自転車用幼児座席Ａに座る幼児の成長に合わせて、ハンドル２５を好適な前後位置に簡単に設定できるようになり、自転車用幼児座席Ａに座る幼児が小さいときから長期間に亘ってハンドル２５を良好に握ることができる。
また、本実施形態では、ハンドル保持部３３は、支持軸２８が挿通保持される挿通孔３４を有するリング状に形成され、係合爪３５は、係合突部３５ｂが係止部３１に係合した状態から抜脱するように弾性片３５ａの弾性変形により支持軸２８の径外方向に出退移動自在とされているので、ロック部材４１をアンロック位置Ｕにセットした状態で、ハンドル２５を支持軸２８廻りに回動することにより、弾性片３５ａの支持軸２８の径外方向への弾性変形とこの弾性変形による復元力とによって、係合爪３５が支持軸２８の複数の係止部３１に順次係脱を繰り返して、係合爪３５が係合する係止部３１が順次に次々に変更されて、ハンドル２５を所望の前後調整位置に簡単にセットすることができ、この点からもハンドル２５を容易に前後調整することができる。
【００３５】
また、ロック部材４１は、支持軸２８の筒孔２９に回動自在に挿通保持される支持軸部４３を有すると共に、支持軸部４３の外方に係合爪３５の外周を覆うロック片４８を有し、ロック部材４１は、ロック片４８が係合爪３５の外周を覆うロック位置Ｌと係合爪３５
から外れるアンロック位置Ｕとに移動するように支持軸部４３廻りに回動自在に支持されているので、ロック部材４１を支持軸部４３廻りの回動によって、ロック位置Ｌとアンロック位置Ｕとに簡単にセットできるようになり、この点からもハンドル２５を容易に前後調整することが可能になる。
【００３６】
また、ハンドル保持部３３とロック部材４１との間に位置決め機構５０が設けられているので、ロック部材４１をロック位置Ｌ又はアンロック位置Ｕに回動して容易に止めることができ、ロック部材４１によって、係合爪３５が係止部３１に係合した状態に確実かつ簡単にロックできるし、そのロック解除も簡単かつ確実になし得る。
また、座席側壁２１とハンドル２５との間に回動規制機構５７が設けられているので、回動規制機構５７により、支持軸２８の回動範囲を規制して、ハンドル２５の移動調整が支持軸２８よりも後方に突出した後方突出位置Ｘ１から支持軸２８の上側を通って支持軸２８よりも前方に突出した前方突出位置Ｘ４までの範囲になり、ハンドル２５の前後調整を大きくな範囲で効率よくなし得るようになる。
【００３７】
なお、前記実施形態では、ハンドル保持部３３に係合爪３５が前後一対設けられ、支持軸２８の外周に係止部３１が周方向に６個設けられているが、これに代え、ハンドル保持部３３に係合爪３５を１個のみ又は３個以上設けるようにしてもよいし、支持軸２８の周方向に係止部３１を４個又は５個或いは７個以上設けるようにしてもよく、例えば、支持軸２８を四角形の筒状に形成して、この支持軸２８外周の４つの角部を係止部３１としてもよい。
【００３８】
また、前記実施形態では、ロック部材４１が座席側壁２１に支持軸部４３廻りに回動することによりロック位置Ｌとアンロック位置Ｕとに移動できるようになっているが、これに代え、ロック部材４１を座席側壁２１にロック位置Ｌとアンロック位置Ｕとに直線方向に往復移動自在に設けるようにしてもよい。
また、前記実施形態では、本発明のハンドル装置を、自転車用幼児座席Ａに適用実施しているが、これに代え、自転車用以外のおもちゃの乗り物の幼児座席や、食事等の際に使用される幼児座席に適用実施するようにしてもよい。
【符号の説明】
【００３９】
１      座部
２      座席本体
２１    座席側壁
２５    ハンドル
２８    支持軸
２９    筒孔
３１    係止部
３３    ハンドル保持部
３４    挿通孔
３５    係合爪
３５ａ  弾性片
３５ｂ  係合突部
４１    ロック部材
４３    支持軸部
４８    ロック片
５０    位置決め機構
５７    回動規制機構
Ａ      自転車用幼児座席
Ｌ      ロック位置
Ｕ      アンロック位置
【図１】
2015058816.tif 000003
【図２】
2015058816.tif 000004
【図３】
2015058816.tif 000005
【図４】
2015058816.tif 000006
【図５】
2015058816.tif 000007
【図６】
2015058816.tif 000008
【図７】
2015058816.tif 000009
【図８】
2015058816.tif 000010
【図９】
2015058816.tif 000011
【図１０】
2015058816.tif 000012
【図１１】
2015058816.tif 000013
【図１２】
2015058816.tif 000014